(57)【特許請求の範囲】
【請求項１】
裏面に縦横に走るリブが垂設された上部デッキボードと桁間を連結する連結梁により囲まれた開口部を有する下部デッキボードとを有する合成樹脂製パレットにおいて、前記上部デッキボードの裏面に垂設されたリブのうち、ハンドフォークリフトの車輪が、前記桁間を連結する連結梁の平坦部に載置されて、前記ハンドフォークリフトのフォークの先端が、前記上部デッキボードの裏面に垂設されたリブに一番接近している領域に位置する前記リブの高さを、他の領域に位置する前記リブの高さより低く形成するとともに、前記高さが低く形成されたリブの幅が、前記ハンドフォークリフトのフォークの先端の幅より広く形成されていることを特徴とする合成樹脂製パレット。
【発明の詳細な説明】
【０００１】
【発明の属する技術分野】
本発明は、ハンドフォークリフトの出し入れが可能なフォーク挿入孔を有する合成樹脂製パレットに関するものである。
【０００２】
【従来の技術】
従来、平面形状がほぼ矩形状の中間桁及び該中間桁を挟んで配置された同じく平面形状がほぼ矩形状の一対の端部桁を有し、上部デッキと下部デッキを連結する中間桁と一対の端部桁との間に、一対のフォーク差し込み孔が形成された、所謂、２方差し合成樹脂製パレットや、上下デッキの四隅に配置された隅桁と、該隅桁の間に配置された中間桁と、上下デッキの中央に配置された中央桁とを有し、各桁間にフォーク差し込み孔が形成された、所謂、４方差し合成樹脂製パレットが知られており、これら２方差し合成樹脂製パレットや４方差し合成樹脂製パレットの下部デッキには、ハンドフォークリフトの車輪が地面や床面に当接するように、開口が形成されているとともに、下部デッキには、各桁を連結する連結梁が形成されており、フォーク差し込み孔に挿入されるハンドフォークリフトの車輪は、この連結梁を乗り越えるように構成されている。
【０００３】
例えば、図３及び図４に示されているように、２方差し合成樹脂製パレットは、上部デッキボード１と下部デッキボード２とを有し、上部デッキボード１と下部デッキボード２とは、平面形状がほぼ矩形状の中間桁３及び該中間桁３を挟んで配置された同じく平面形状がほぼ矩形状の一対の端部桁４とにより連結されている。下部デッキボード２は、中間桁３と端部桁４の長手方向の両端部を連結する端部連結梁５と、中間桁３と端部桁４の長手方向の中間部を連結する中間連結梁６とを有しており、そして、下部デッキボード２には、中間桁３と端部桁４と端部連結梁５と中間連結梁６とで囲まれた開口部７が形成されている。また、上部デッキボード１と下部デッキボード２を連結する中間桁３と一対の端部桁４との間に、一対のフォーク差し込み孔８が形成されている。
【０００４】
上部デッキボード１の裏面には、縦横に走るリブ１ａが垂設されている。また、端部連結梁５は、フォーク差し込み孔８の開口８ａからフォーク挿入方向に沿って上方に向かう傾斜部５ａと、傾斜部５ａに連続して形成された平坦部５ｂと、平坦部５ｂに連続して形成された、フォーク挿入方向に沿って下方に向かう傾斜部５ｃとを有し、全体としてほぼ山形に形成されている。同様に、中間連結梁６も、フォーク差し込み孔８の入り口からフォーク挿入方向に沿って上方に向かう傾斜部６ａと、傾斜部６ａに連続して形成された平坦部６ｂと、平坦部６ｂに連続して形成された、フォーク挿入方向に沿って下方に向かう傾斜部６ｃとを有し、全体としてほぼ山形に形成されている。また、端部連結梁５及び中間連結梁６の下面には、縦横に走るリブ５ｄ、６ｄが、それぞれ、垂設されている。
【０００５】
上述した２方差し合成樹脂製パレットのフォーク差し込み孔８の開口８ａから、先端部に折り畳み可能な車輪ｆ１が配設されたハンドフォークリフトＦのフォークｆ２を、車輪ｆ１を折り畳んだ状態で挿入すると、車輪ｆ１は、先ず最初に、フォークｆ２挿入側に位置する端部連結梁５を乗り越え、フォークｆ２挿入側に位置する開口部７に位置する床面や地面に載置され、更に、フォークｆ２を押し込むと、車輪ｆ１は、中間連結梁６を乗り越え、フォークｆ２挿入側に対して遠い方に位置する開口部７に入り、該開口部７に位置する床面や地面Ｔに載置される。このような状態から、公知のように、ハンドフォークリフトＦを作動させて、折り畳まれた状態の車輪ｆ１を下方に回動させて、フォークｆ２を、水平状態のまま上昇させて、２方差し合成樹脂製パレットを、床面や地面Ｔから浮かせ、その後、ハンドフォークリフトＦを走行させて、２方差し合成樹脂製パレットを、所望の位置に移送する。
【０００６】
【発明が解決しようとする課題】
次に、図５を用いて、上述した従来の２方差し合成樹脂製パレット（以下、単に、合成樹脂製パレットともいう。）が有する課題について説明する。
【０００７】
フォークｆ２を、合成樹脂製パレットのフォーク差し込み孔８の一方の開口８ａから挿入すると、車輪ｆ１は、先ず最初に、端部連結梁５の傾斜部５ａを登り、その後、平坦部５ｂに達する。この傾斜部５ａから平坦部５ｂに達する間に、フォークｆ２は、図５において、左上がりに傾斜し、フォークｆ２の先端ｆ２’が、上部デッキボード１の裏面に形成されたリブ１ａに当接し、フォークｆ２の円滑な差込みが阻止されたり、或いは、上部デッキボード１の裏面に形成されたリブ１ａが破損するという問題がある。
【０００８】
上述した問題を解決するために、合成樹脂製パレットの全体の高さを変えずに、フォーク差し込み孔８の間口の高さを高くすることもできるが、合成樹脂製パレットの全体の高さを変えずに、フォーク差し込み孔８の間口の高さを高くするためには、上部デッキボード１或いは下部デッキボード２の厚さを薄くしなければならないが、上部デッキボード１や下部デッキボード２の厚さを薄くすると、合成樹脂製パレットの強度が低下し、耐用年数が短くなる。また、上部デッキボード１や下部デッキボード２の厚さを変えずに、フォーク差し込み孔８の間口の高さを高くするためには、合成樹脂製パレットの全体の高さを高くしなければならないが、合成樹脂製パレットの全体の高さを高くすると、合成樹脂製パレットを段積みして保管する際の保管効率が悪くなったり、重量が増加したり、或いは、原材料の量が増加し、合成樹脂製パレットの製造コストが上昇する等という問題がある。
【０００９】
合成樹脂製パレットの重量の増加、製造コストの上昇、保管性、取り扱い性等を考えと、合成樹脂製パレットの高さは、低く押さえることが好ましいので、実際には、合成樹脂製パレットの高さを、可能な限り低く押さえ、しかも、ハンドフォークリフトの車輪ｆ１が配設されたフォークｆ２のフォーク差し込み孔８への円滑な挿入が可能なように、フォーク差し込み孔８の高さ等が設計され、このような設計に基づいて、射出成形等により、合成樹脂製パレットが製造されているが、射出成形等により製造された合成樹脂製パレットは、その冷却過程で、収縮変形を起こしたり、或いは、経年変化等により変形し、従って、フォーク差し込み孔８も変形することになる。このような合成樹脂製パレットの変形により、フォークｆ２の先端ｆ２’が、上部デッキボード１の裏面に形成されたリブ１ａに当接し、フォークｆ２の円滑な差込みが阻止されたり、或いは、上部デッキボード１の裏面に形成されたリブ１ａが破損するという問題が発生することになる。また、端部連結梁５や中間連結梁６の平坦部５ｂ、６ｂとハンドフォークリフトの車輪ｆ１との間に、車輪ｆ１に付着したごみ等の異物が入り込み、このようなごみ等の異物により、車輪ｆ１が持ち上げられた際にも、上記のような問題が発生することがある。
【００１０】
本発明の目的は、上述した従来の合成樹脂製パレットが有する課題を解決することにある。
【００１１】
【課題を解決するための手段】
本発明は、上述した目的を達成するために、裏面に縦横に走るリブが垂設された上部デッキボードと桁間を連結する連結梁により囲まれた開口部を有する下部デッキボードとを有する合成樹脂製パレットにおいて、前記上部デッキボードの裏面に垂設されたリブのうち、ハンドフォークリフトの車輪が、前記桁間を連結する連結梁の平坦部に載置されて、前記ハンドフォークリフトのフォークの先端が、前記上部デッキボードの裏面に垂設されたリブに一番接近している領域に位置する前記リブの高さを、他の領域に位置する前記リブの高さより低く形成するとともに、前記高さが低く形成されたリブの幅を、前記ハンドフォークリフトのフォークの先端の幅より広く形成したものである。
【００１２】
【実施例】
以下に、図１及び図２を用いて、本発明の実施例について説明するが、本発明の趣旨を越えない限り何ら、本実施例に限定されるものではない。なお、上述した従来の合成樹脂製パレットと同じ構成部分については、その詳細な説明を省略するとともに、その構成部分に対しては同じ符号を用いた。
【００１３】
本実施例においては、合成樹脂製パレットの全体の高さを高くすることなく、しかも、フォーク差し込み孔８の間口の高さを変更することなく、フォークｆ２の先端ｆ２’が、上部デッキボード１の裏面に形成されたリブ１ａに当接することなく、フォークｆ２の円滑なフォーク差し込み孔８への挿入を可能にしたものである。
【００１４】
フォークｆ２を、合成樹脂製パレットのフォーク差し込み孔８の一方の開口８ａから挿入し、車輪ｆ１が、端部連結梁５の傾斜部５ａを登り、その後、平坦部５ｂに達し、該平坦部５ｂに載置されている間、或いは、車輪ｆ１が、中間連結梁６の傾斜部６ａを登り、その後、平坦部６ｂに達し、該平坦部６ｂに載置されている間、上述した合成樹脂製パレットの変形に起因するフォーク差し込み孔８の変形等の理由により、フォークｆ２の先端ｆ２’が、上部デッキボード１の裏面に形成されたリブ１ａに当接しないように、車輪ｆ１が、端部連結梁５の平坦部５ｂに載置されている間及び中間連結梁６の平坦部６ｂに載置されている間に、即ち、フォークｆ２の先端ｆ２’が、上部デッキボード１の裏面に形成されたリブ１ａに一番接近する領域に位置するリブ１ａ’の高さを、他の領域のリブ１ａの高さより低く形成する。高さを低くするリブ１ａ’の幅は、上部デッキボード１の裏面に形成されたリブ１ａに当接する可能性のあるフォークｆ２の先端ｆ２’の幅より、若干、広いことになる。
【００１５】
図１を用いて、上述した、上部デッキボード１の裏面に形成されたリブ１ａの高さを低くする領域について説明する。
【００１６】
フォークｆ２を、図１において、右側に位置するフォーク差し込み孔８に挿入する場合を考えると、先ず最初に、フォークｆ２の先端ｆ２’が、上部デッキボード１の裏面に形成されたリブ１ａに一番接近する位置は、図１に示されているように、フォークｆ２の車輪ｆ１が、端部連結梁５の平坦部５ｂの右端に乗った位置であり．この位置から、フォークｆ２の車輪ｆ１が、端部連結梁５の平坦部５ｂを移動し、車輪ｆ１が、端部連結梁５の平坦部５ｂの左端に位置するまで、フォークｆ２の先端ｆ２’は、上部デッキボード１の裏面に形成されたリブ１ａに一番接近した状態を維持することになる。従って、フォークｆ２の車輪ｆ１が、端部連結梁５の平坦部５ｂの右端に乗った位置から平坦部５ｂの左端に位置するまで間、フォークｆ２の先端ｆ２’付近に位置する上部デッキボード１の裏面に形成されたリブ１ａの高さを低く形成する。
【００１７】
次いで、フォークｆ２の車輪ｆ１が、端部連結梁５を乗り越えた後、フォークｆ２の先端ｆ２’が、上部デッキボード１の裏面に形成されたリブ１ａに一番接近する位置は、フォークｆ２の車輪ｆ１が、中間連結梁６の平坦部６ｂの右端に乗った位置であり、この位置から、フォークｆ２の車輪ｆ１が、中間連結梁６の平坦部６ｂを移動し、車輪ｆ１が、中間連結梁６の平坦部６ｂの左端に位置するまで、フォークｆ２の先端ｆ２’は、上部デッキボード１の裏面に形成されたリブ１ａに一番接近した状態を維持することになる。従って、フォークｆ２の車輪ｆ１が、中間連結梁６の平坦部６ｂの右端に乗った位置から平坦部６ｂの左端に位置するまで間、フォークｆ２の先端ｆ２’付近に位置する上部デッキボード１の裏面に形成されたリブ１ａの高さを低く形成する。
【００１８】
フォークｆ２を、図１において、左側からフォーク差し込み孔８に挿入される場合もあるので、フォークｆ２の挿入方向、即ち、中間桁３及び端部桁４の長手方向に対して垂直な合成樹脂製パレットの中心線Ｌを挟んで、対称な領域に位置する上部デッキボード１の裏面に形成されたリブ１ａの高さも低く形成する。一例として、図２には、低く形成された上部デッキボード１の裏面に形成されたリブ１ａが、細い実線で示されており、その他のリブ１ａが、太い実線で示されている。
【００１９】
上述した実施例においては、２方差し合成樹脂製パレットを例に、本発明の実施例について説明したが、４方差し合成樹脂製パレットにも本発明を適用することができることは明らかである。
【００２０】
【発明の効果】
本発明は、以上説明した構成を有しているので、以下に記載する効果を奏するものである。
【００２１】
ハンドフォークリフトの車輪が、連結梁に載置された際に、ハンドフォークリフトのフォーク先端が、上部デッキボードの裏面に形成されたリブに当接しないように、前記フォーク先端が、一番接近する領域に位置する前記リブの高さを低く形成したので、合成樹脂製パレットの全体の高さを高くすることなく、しかも、フォーク差し込み孔の間口の高さを変更することなく、フォークの先端が、上部デッキボードの裏面に形成されたリブに当接するようなことが防止でき、フォークの円滑なフォーク差し込み孔への挿入が可能となるとともに、必要最少限の上部デッキボードの裏面に形成されたリブのみの高さを低くしたので、合成樹脂製パレットの強度も大きく低下するようなこともない。
【図面の簡単な説明】
【図１】図１は本発明の一例としての２方差し合成樹脂製パレットのフォーク挿入方向に沿った一部ハンドフォークリフトを含む垂直断面図である。
【図２】図２は図１の２方差し合成樹脂製パレットの上部デッキボードの一部断面を含む裏面図である。
【図３】図３は従来の２方差し合成樹脂製パレットの斜視図である。
【図４】図４は図３のＩ−Ｉ線に沿った垂直断面図である。
【図５】図５は図４においてハンドフォークリフトのフォークが差し込まれた状態を含む従来の合成樹脂製パレットの垂直断面図である。
【符号の説明】
Ｐ・・・・・・・・合成樹脂製パレット
１・・・・・・・・上部デッキボード
１ａ・・・・・・・リブ
２・・・・・・・・下部デッキボード
５・・・・・・・・端部連結梁
６・・・・・・・・中間連結梁
ｆ１・・・・・・・車輪
ｆ２・・・・・・・フォーク
【図１】
0004310009.tif 000002
【図２】
0004310009.tif 000003
【図３】
0004310009.tif 000004
【図４】
0004310009.tif 000005
【図５】
0004310009.tif 000006